(57)【特許請求の範囲】
【請求項１】
ワイヤレス・ネットワーク・アクセス・ポイントとの接続を確立する通信端末の最低送信電力を取得することであって、前記最低送信電力は、前記通信端末と前記ワイヤレス・ネットワーク・アクセス・ポイントとの間の接続及び通信を確実にすることが可能な最小送信電力である、前記取得することと、
前記最低送信電力に従って、前記通信端末の送信電力を調節及び決定することと、
を含み、
前記ワイヤレス・ネットワーク・アクセス・ポイントとの接続を確立する前記通信端末の前記最低送信電力を取得することは、
前記ワイヤレス・ネットワーク・アクセス・ポイントとの接続を確立した後に、実際の受信信号強度と、ワイヤレス・ネットワーク・サービスの種類と、前記通信端末の変調方式とを取得し、前記ワイヤレス・ネットワーク・サービスの種類と前記変調方式とに従って、前記通信端末の受信信号強度の閾値を決定し、前記通信端末の現在の送信電力と、前記通信端末の実際の受信信号強度と、前記通信端末の前記受信信号強度の閾値とに従って、前記通信端末の前記最低送信電力を決定すること、又は、
前記ワイヤレス・ネットワーク・アクセス・ポイントとの接続を確立した後に、ワイヤレス・ネットワーク・サービスの種類と変調方式とを取得し、前記ワイヤレス・ネットワーク・サービスの種類と前記変調方式とに従って、前記ワイヤレス・ネットワーク・アクセス・ポイントの受信信号強度の閾値を決定し、前記通信端末の現在の送信電力と、無線インタフェース経路の送信損失値と、前記ワイヤレス・ネットワーク・アクセス・ポイントの前記受信信号強度の閾値とに従って、前記通信端末の前記最低送信電力を決定すること
を含む、
ワイヤレスネットワーク接続のための方法。
【請求項２】
前記無線インタフェース経路の送信損失値を取得するための方式は、
リアルタイム測定方式により前記無線インタフェース経路の損失値を取得すること、又は、
予め設定された無線インタフェース経路の送信損失値を取得すること、又は、
前記ワイヤレス・ネットワーク・アクセス・ポイントと前記通信端末との間の通信環境情報を取得し、前記通信環境情報と、異なる通信環境情報に対応する予め設定された無線インタフェース経路の送信損失情報とに従って、対応する無線インタフェース経路の送信損失値を決定すること
を含む、請求項１に記載の方法。
【請求項３】
前記最低送信電力に従って前記通信端末の前記送信電力を調節及び決定することは、
前記最低送信電力が前記通信端末の前記現在の送信電力よりも低いときは、前記通信端末の前記送信電力が前記最低送信電力と等しくなるまで、又は現在のデータ送信サービスの品質が予め設定された要件を満たすまで、予め設定されたステップ長に従って、前記通信端末の送信電力を減少させること
を含む、請求項１又は２に記載の方法。
【請求項４】
ワイヤレス・ネットワーク・アクセス・ポイントとの接続を確立する通信端末の最低送信電力を取得するように構成された最低送信電力取得ユニット（４０１）であって、前記最低送信電力は、前記通信端末と前記ワイヤレス・ネットワーク・アクセス・ポイントとの間の接続及び通信を確実にすることが可能な最小送信電力である、前記最低送信電力取得ユニットと、
前記最低送信電力に従って、前記通信端末の送信電力を調節及び決定するように構成された送信電力調節ユニット（４０２）と、
を備え、
前記最低送信電力取得ユニット（４０１）は、
前記ワイヤレス・ネットワーク・アクセス・ポイントとの接続が確立された後に、実際の受信信号強度と、ワイヤレス・ネットワーク・サービスの種類と、前記通信端末の変調方式とを取得し、前記ワイヤレス・ネットワーク・サービスの種類と前記変調方式とに従って、前記通信端末の受信信号強度の閾値を決定し、前記通信端末の現在の送信電力と、前記通信端末の前記実際の受信信号強度と、前記通信端末の前記受信信号強度の閾値とに従って、前記通信端末の前記最低送信電力を決定するように構成された第１の最低送信電力取得ユニット（４０１１）、又は、
前記ワイヤレス・ネットワーク・アクセス・ポイントとの接続が確立された後に、ワイヤレス・ネットワーク・サービスの種類と変調方式とを取得し、前記ワイヤレス・ネットワーク・サービスの種類と前記変調方式とに従って、前記ワイヤレス・ネットワーク・アクセス・ポイントの受信信号強度の閾値を決定し、前記通信端末の現在の送信電力と、無線インタフェース経路の送信損失値と、前記ワイヤレス・ネットワーク・アクセス・ポイントの前記受信信号強度の閾値とに従って、前記通信端末の前記最低送信電力を決定するように構成された第２の最低送信電力取得ユニット（４０１２）
を備える、
ワイヤレスネットワーク接続のための装置。
【請求項５】
前記第２の最低送信電力取得ユニット（４０１２）は、
リアルタイム測定方式により前記無線インタフェース経路の送信損失値を取得するように構成された第１の損失値取得ユニット（４０１２１）、又は、
予め設定された無線インタフェース経路の送信損失値を取得するように構成された第２の損失値取得ユニット（４０１２２）、又は、
前記ワイヤレス・ネットワーク・アクセス・ポイントと前記通信端末との間の通信環境情報を取得し、前記通信環境情報と、異なる通信環境情報に対応する予め設定された無線インタフェース経路の送信損失情報とに従って、対応する無線インタフェース経路の送信損失値を決定するように構成された第３の損失値取得ユニット（４０１２３）
を備える、請求項４に記載の装置。
【請求項６】
前記送信電力調節ユニット（４０２）は、
前記通信端末の前記現在の送信電力と、前記最低送信電力取得ユニット（４０１）によって取得された前記最低送信電力を比較するように構成された送信電力決定ユニット（４０２１）と、
前記送信電力決定ユニット（４０２１）の判定結果が、前記最低送信電力が前記通信端末の前記現在の送信電力よりも低いことを示すときに、前記通信端末の前記送信電力が前記最低送信電力取得ユニット（４０１）によって取得された前記最低送信電力と等しくなるまで、又は現在のデータ送信サービスの品質が予め設定された要件を満たすまで、予め設定されたステップ長に従って、前記通信端末の送信電力を減少させるように構成された送信電力減少ユニット（４０２２）と、
を備える、請求項４又は５に記載の装置。
【請求項７】
請求項４〜請求項６のうちのいずれか１項に記載のワイヤレスネットワーク接続のための装置
を備える通信端末。
【請求項８】
コンピュータに請求項１〜請求項３のうちのいずれか１項に記載の方法を実行させるコンピュータプログラムを記憶したコンピュータ可読媒体。
【発明の詳細な説明】
【技術分野】
【０００１】
本発明は、通信技術の分野に関し、特に、ワイヤレスネットワーク接続のための方法、装置、及び端末に関する。
【背景技術】
【０００２】
科学技術が発達するにつれて、ワイヤレスネットワーク技術は、空前の上昇を迎えている。しかしながら、実際の用途においては、従来のワイヤレスネットワーク技術は、ある問題を抱えている。ワイヤレスネットワーク技術の中で代表的なＷｉＦｉ（ワイヤレスフィディリティ）技術が、本発明によって解決される課題を記載するために以下で例として挙げられる。
【０００３】
現在、ＷｉＦｉ技術は、スマートフォンを含む様々な通信端末で幅広く使用されている。ＷｉＦｉ技術は、ＩＥＥＥ８０２．１１ｂ／ｇ／ｎワイヤレスネットワーク仕様を含み、そしてパソコンやポータブルデバイス（例えば、ＰＤＡや携帯電話）などの通信端末を相互接続し得る短距離ワイヤレスネットワーク技術である。一般的に、ＷｉＦｉモジュールを使用する大部分の既存のＷｉＦｉ通信端末（略してＷｉＦｉ  ＳＴＡ）の定格送信電力は、１００Ｍの範囲内でＷｉＦｉネットワークのアクセスポイント（略してＷｉＦｉ  ＡＰ）に及ぶように、最初に１００ｍＷ（すなわち、２０ｄＢｍ）に設定される。この定格電力は、一般的に、初期設定後には変更することが出来ない。少数のＷｉＦｉ通信端末だけが、定格電力を手動で設定する機能をユーザに提供する。
【０００４】
本発明者は、少なくとも以下の問題を従来技術に見出す。
【０００５】
第１に、図１に示されるように、従来技術においては、ＷｉＦｉ  ＳＴＡの定格送信電力は一般的に最初に１００ｍＷに設定され、その定格電力は一般的に初期設定後に変更することが出来ないので、１００ｍＷの送信電力が、ＷｉＦｉ  ＳＴＡとＷｉＦｉ  ＡＰとの間の距離に関わらず使用され、莫大な電力消費、人体に対する莫大な放射線照射をもたらす。
【０００６】
第２に、従来技術においては、少数のＷｉＦｉ通信端末は、定格電力を手動で設定する機能をユーザに提供するが、その機能の動作は複雑であり、実際の用途においては、特定の専門知識が必要とされ、手動の設定は、時間を消費し、ユーザにとって大変な労力を要する。
【発明の概要】
【発明が解決しようとする課題】
【０００７】
本発明の実施形態は、通信端末が送信電力を自動的に下げることが出来、ユーザによる手動設定という面倒を避け、電気エネルギーを節約し、放射線が減少し、ユーザにとって便利で安全なネットワークアクセスを確実にするような、ワイヤレスネットワーク接続のための方法、装置、及び端末を提供する。
【課題を解決するための手段】
【０００８】
一実施形態は、ワイヤレスネットワーク接続のための方法であって、
ワイヤレス・ネットワーク・アクセス・ポイントとの接続を確立する通信端末の最低送信電力を取得することであって、最低送信電力は、通信端末とワイヤレス・ネットワーク・アクセス・ポイントとの間の接続及び通信を確実にすることが可能な最小送信電力である、前記取得することと、
最低送信電力に従って、通信端末の送信電力を調節及び決定することと、
を含む、方法を提供する。
【０００９】
一実施形態は、ワイヤレスネットワーク接続のための装置であって、
ワイヤレス・ネットワーク・アクセス・ポイントとの接続を確立する通信端末の最低送信電力を取得するように構成された最低送信電力取得ユニットであって、最低送信電力は、通信端末とワイヤレス・ネットワーク・アクセス・ポイントとの間の接続と通信とを確実にすることが可能な最小送信電力である、最低送信電力取得ユニットと、
最低送信電力に従って、通信端末の送信電力を調節及び決定するように構成された送信電力調節ユニットと、
を含む、装置を提供する。
【００１０】
一実施形態は、ワイヤレスネットワーク接続のための装置を含む通信端末を提供する。
【発明の効果】
【００１１】
ユーザによる通信端末の送信電力の手動設定が時間を消費し多大な労力を要し、精度が低い従来技術における課題を効率的に解決しながら、通信端末が最低送信電力で通常のワイヤレスアクセスを行うことが出来、通信端末によって消費される電気エネルギーが節約され、通信端末によって発生させられる放射線が減少するように、本発明の実施形態において提供される技術的解決策を用いて、通信端末の送信電力を自動的に調節できることが、本発明によって提供される技術的解決策から理解され得る。
【図面の簡単な説明】
【００１２】
本発明の実施形態又は従来技術における技術的解決策を明確に説明するために、記載の実施形態又は従来技術を記載するために必要とされる添付の図面が、以下で簡潔に記載される。明らかに、以下で記載される添付の図面は、単に、本発明の一部の実施形態だけに関するものである。当業者は、革新的な作業を伴うことなく、これらの図面に基づいて他の図面を取得し得る。
【図１】図１は、本発明の一実施形態において提供されるワイヤレスネットワーク接続のための方法の第１の処理の流れ図である。
【図２】図２は、本発明の一実施形態において提供されるデータ送信サービスの種類の規格の概略図である。
【図３Ａ】図３Ａは、本発明の一実施形態において提供されるワイヤレスネットワーク接続のための方法の第２の処理の流れ図である。
【図３Ｂ】図３Ｂは、本発明の一実施形態において提供されるワイヤレスネットワーク接続のための方法の第２の処理の流れ図である。
【図４】図４は、本発明の一実施形態において提供されるワイヤレスネットワーク接続のための装置の第１の構造の概略図である。
【図５】図５は、本発明の一実施形態において提供されるワイヤレスネットワーク接続のための装置の第２の構造の概略図である。
【図６】図６は、本発明の一実施形態において提供されるワイヤレスネットワーク接続のための装置の第３の構造の概略図である。
【発明を実施するための形態】
【００１３】
本発明の実施形態における技術的解決策は、本発明の実施形態において、添付の図面を参照して以下で明確かつ完全に記載される。明らかに、以下で記載される実施形態は、本発明の全実施形態ではなく、ほんの一部である。当業者は、創造的な努力を全く伴うことなく、本発明の実施形態に基づいて当業者によって導き出される他の全ての実施形態を導き出すことが可能であり、それらの実施形態は、本発明の保護の範囲内に該当すべきである。
【００１４】
本発明の実施形態は、添付の図面を参照してさらに記載される。
【００１５】
この実施形態において、通信端末が携帯電話であり、ワイヤレスネットワークがＷｉＦｉ技術のワイヤレスネットワークである場合が、例として記載される。本発明の実施形態において記載される通信端末は、携帯電話には限定されないことを留意されたい。同時に、本発明の実施形態において記載されるワイヤレスネットワークは、ＷｉＦｉ技術ワイヤレスネットワークに限定されない。この実施形態は、本発明に関する制限を構成しない。
【００１６】
図１及び図２に示されるように、この実施形態において提供される、ワイヤレスネットワーク接続のための方法の特定の実装プロセスは、以下のステップを含み得る。
【００１７】
ステップ１１：ワイヤレス・ネットワーク・アクセス・ポイントとの接続を確立する通信端末の最低送信電力を取得する。対応する最低送信電力は、通信端末とワイヤレス・ネットワーク・アクセス・ポイントとの間の接続と通信とを確実にすることが可能な最小送信電力である。
【００１８】
例えば、ワイヤレス・ネットワーク・アクセス・ポイントとの接続を確立する通信端末の最低送信電力を取得することは、以下を含み得る。
【００１９】
（１）ワイヤレス・ネットワーク・アクセス・ポイントとの接続を確立した後に、実際の受信信号強度と、ワイヤレス・ネットワーク・サービスの種類と、通信端末の変調方式とを取得し、ワイヤレス・ネットワーク・サービスの種類と変調方式とに従って通信端末の受信信号強度の閾値を決定し、通信端末の現在の送信電力と、通信端末の実際の受信信号強度と、通信端末の受信信号強度の閾値とに従って、通信端末の最低送信電力を決定する。
【００２０】
具体的には、以下では、通信端末の現在の送信電力と、通信端末の実際の受信信号強度と、通信端末の受信信号強度の閾値とに従って、通信端末の最低送信電力を決定する原理を記載する例として、ＷｉＦｉ技術ワイヤレスネットワークを使用する。
【００２１】
明確で直観的な記載のために、以下の記載では、
ＷｉＦｉネットワークのアクセスポイント（すなわち、ＷｉＦｉ  ＡＰ）の送信電力は、Ｐ＿ＡＰと表され、
ＷｉＦｉネットワークのアクセスポイント（すなわち、ＷｉＦｉ  ＡＰ）の受信信号強度は、ＲＳＳＩ＿ＡＰと表され、
ＷｉＦｉ通信端末（すなわち、ＷｉＦｉ  ＳＴＡ）の送信電力は、Ｐ＿ＳＴＡと表され、
ＷｉＦｉ通信端末（すなわち、ＷｉＦｉ  ＳＴＡ）の受信信号強度は、ＲＳＳＩ＿ＳＴＡと表される。
【００２２】
ＷｉＦｉ  ＡＰとＷｉＦｉ  ＳＴＡとの間の無線インタフェースの受信チャンネルと送信チャンネルとは相互的である。従って、送信プロセスにおける無線インタフェース経路の送信損失は、同じである。ＰＡＴＨ＿ＬＯＳＳが無線インタフェース経路の送信損失値を表すために使用される場合には、下記が成り立つ。
【００２３】
Ｐ＿ＳＴＡ＝ＲＳＳＩ＿ＡＰ＋ＰＡＴＨ＿ＬＯＳＳ
【００２４】
Ｐ＿ＡＰ＝ＲＳＳＩ＿ＳＴＡ＋ＰＡＴＨ＿ＬＯＳＳ
【００２５】
Ｐ＿ＡＰ−Ｐ＿ＳＴＡ＝ＲＳＳＩ＿ＳＴＡ−ＲＳＳＩ＿ＡＰ  を引き出し得る。
【００２６】
さらに、一般的に、Ｐ＿ＡＰとＰ＿ＳＴＡとの間の差は、定数である（例えば、その差は、３ｄＢよりも小さい定数であり得る）ので、Ｃがこの定数を表すために使用される場合には、Ｐ＿ＡＰ−Ｐ＿ＳＴＡ＝ＲＳＳＩ＿ＳＴＡ−ＲＳＳＩ＿ＡＰ＝Ｃ
【００２７】
上記の方程式を組み合わせることによって、下記を引き出し得る。
Ｐ＿ＳＴＡ＝ＲＳＳＩ＿ＳＴＡ−Ｃ＋ＰＡＴＨ＿ＬＯＳＳ
【００２８】
さらに分類した後に、Ｐ＿ＳＴＡ−ＲＳＳＩ＿ＳＴＡ＝ＰＡＴＨ＿ＬＯＳＳ−Ｃを引き出し得る。Ｃ１が定数ＰＡＴＨ＿ＬＯＳＳ−Ｃを表すために使用される場合には、Ｐ＿ＳＴＡ−ＲＳＳＩ＿ＳＴＡ＝Ｃ１である。すなわち、通信端末の送信電力と通信端末の受信信号強度との間の差が、定数である。この定数が、通信端末の現在の送信電力と通信端末の受信信号強度の閾値とに従って取得された場合に、通信端末の最低送信電力が、通信端末の実際の受信信号強度に定数を加えることによって取得され得る。実施形態１：本発明のこの実施形態における方法を用いて構成されたある携帯電話の定格送信電力は、最初、１７ｄＢｍに設定される。この携帯電話は、１７ｄＢｍ送信電力を使用することによってワイヤレス・ネットワーク・アクセス・ポイントとの接続を確立し、携帯電話によって取得された通信端末の実際の受信信号強度が、−６２ｄＢｍであり、携帯電話によって取得されるワイヤレス・ネットワーク・サービスの種類と変調方式とは、６Ｍｂｐｓのデータ速度と、２．４ＧＨｚの周波数帯のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、すなわち、直交周波数分割多重；マルチキャリア変調方式）方式とを含むと想定する。携帯電話の（図２に示されるような）予め設定されたデータ送信サービスの種類の規格によると、携帯電話の受信信号強度の閾値は、−８２ｄＢｍであると決定し得る。それから、携帯電話の現在の送信電力（すなわち、１７ｄＢｍ）と、携帯電話の受信信号強度の閾値（すなわち、−８２ｄＢｍ）とに従って、対応する定数（すなわち、１７−８２＝−６５）が取得され得る。それから、携帯電話の実際の受信信号強度（すなわち、−６２ｄＢｍ）に定数（すなわち、−６５）を加えることによって、携帯電話の最低送信電力（すなわち、６２−６５＝−３ｄＢｍ）が取得され得る。
【００２９】
（２）あるいは、ワイヤレス・ネットワーク・アクセス・ポイントとの接続を確立した後で、ワイヤレス・ネットワーク・サービスの種類と変調方式とを取得し、ワイヤレス・ネットワーク・サービスの種類と変調方式とに従って、ワイヤレス・ネットワーク・アクセス・ポイントの受信信号強度の閾値を決定し、通信端末の現在の送信電力と、無線インタフェース経路の送信損失値と、ワイヤレス・ネットワーク・アクセス・ポイントの受信信号強度の閾値とに従って、通信端末の最低送信電力を決定する。
【００３０】
具体的には、以下の記載は、通信端末の現在の送信電力と、無線インタフェース経路の送信損失値と、ワイヤレス・ネットワーク・アクセス・ポイントの受信信号強度の閾値とに従って、通信端末の最低送信電力を決定する原理を記載するための例としてＷｉＦｉ技術のワイヤレスネットワークを使用する。
【００３１】
明確で直観的な記載のために、以下の記載では、
ＷｉＦｉネットワークのアクセスポイント（すなわち、ＷｉＦｉ  ＡＰ）の送信電力は、Ｐ＿ＡＰと表され、
ＷｉＦｉネットワークのアクセスポイント（すなわち、ＷｉＦｉ  ＡＰ）の受信信号強度は、ＲＳＳＩ＿ＡＰと表され、
ＷｉＦｉ通信端末（すなわち、ＷｉＦｉ  ＳＴＡ）の送信電力は、Ｐ＿ＳＴＡと表され、
ＷｉＦｉ通信端末（すなわち、ＷｉＦｉ  ＳＴＡ）の受信信号強度は、ＲＳＳＩ＿ＳＴＡと表される。
【００３２】
ＷｉＦｉ  ＡＰとＷｉＦｉ  ＳＴＡとの間の無線インタフェースの受信チャンネルと送信チャンネルとは相互的である。従って、送信プロセスにおける無線インタフェース経路の送信損失は、同じである。ＰＡＴＨ＿ＬＯＳＳが無線インタフェース経路の送信損失値を表すために使用される場合には、下記が成り立つ。
【００３３】
Ｐ＿ＳＴＡ＝ＲＳＳＩ＿ＡＰ＋ＰＡＴＨ＿ＬＯＳＳ
【００３４】
現在の状態と最低電力消費との２つの方程式が引き出され得る。
【００３５】
Ｐ＿ＳＴＡ（現在）＝ＲＳＳＩ＿ＡＰ（現在）＋ＰＡＴＨ＿ＬＯＳＳ（１）
【００３６】
Ｐ＿ＳＴＡ（通信端末の最低送信電力）＝ＲＳＳＩ＿ＡＰ（ワイヤレス・ネットワーク・アクセス・ポイントの受信信号強度の閾値）＋ＰＡＴＨ＿ＬＯＳＳ（２）
【００３７】
同じ接続環境の無線インタフェース経路の送信損失値は、一定である。
【００３８】
従って、Ｐ＿ＳＴＡ（現在）−Ｐ＿ＳＴＡ（通信端末の最低送信電力）＝ＲＳＳＩ＿ＡＰ（現在）−ＲＳＳＩ＿ＡＰ（ワイヤレス・ネットワーク・アクセス・ポイントの受信信号強度の閾値）。すなわち、ワイヤレス・ネットワーク・アクセス・ポイントの現在受信信号強度が、ワイヤレス・ネットワーク・アクセス・ポイントの受信信号強度の閾値になるように調節されたとき、通信端末の現在の送信電力もまた通信端末の最低送信電力になるように調節される。さらに、通信端末の最低送信電力を取得するために、ワイヤレス・ネットワーク・アクセス・ポイントの現在の受信信号強度と、ワイヤレス・ネットワーク・アクセス・ポイントの受信信号強度の閾値との間の差が取得される必要があり、それから、その差が、通信端末の現在の送信電力から引かれる。実施形態２：この実施形態の方法を用いて構成されたある携帯電話の定格送信電力が、最初、１００ｍＷ（２０ｄＢｍ）に設定される。この携帯電話が、２０ｄＢｍの送信電力を使用することによって、ワイヤレス・ネットワーク・アクセス・ポイントとの接続を確立した後に、取得されたワイヤレス・ネットワーク・サービスの種類及び変調方式は、４８Ｍｂｐｓのデータ速度及び２．４ＧＨｚ周波数帯のＤＳＳＳ−ＯＦＤＭ（Ｄｉｒｅｃｔ  Ｓｅｑｕｅｎｃｅ  Ｓｐｒｅａｄ  Ｓｐｅｃｔｒｕｍ、すなわち、直接スペクトラム拡散；スペクトラム拡散通信技術）方式を含むことを想定される。それから、携帯電話の（図２に示されるような）予め設定されたデータ送信サービスの種類の規格に従って、ワイヤレス・ネットワーク・アクセス・ポイントの受信信号強度の閾値が−６６ｄＢｍであると決定され得る。それから、携帯電話の現在の送信電力（すなわち、２０ｄＢｍ）と、携帯電話の無線インタフェース経路の送信損失値（例えば、損失値は−７６ｄＢｍであり得る）とに従って、ワイヤレス・ネットワーク・アクセス・ポイントの現在の受信信号強度（すなわち、−５６ｄＢｍ）が決定され得る。それから、ワイヤレス・ネットワーク・アクセス・ポイントの現在の受信信号強度（すなわち、−５６ｄＢｍ）と、ワイヤレス・ネットワーク・アクセス・ポイントの受信信号強度の閾値（すなわち、−６６ｄＢｍ）とに従って、２つの値の間の差（すなわち、１０ｄＢｍ）が取得され得る。それから、携帯電話の現在の送信電力（すなわち、２０ｄＢｍ）から差（すなわち、１０ｄＢｍ）を引くことによって、携帯電話の最低送信電力（すなわち、１０ｄＢｍ）が取得され得る。
【００３９】
さらに、無線インタフェース経路の送信損失値を取得するための方式は、
（１）リアルタイム測定方式を通じて無線インタフェース経路の送信損失値を取得すること
を含み得る。
【００４０】
さらに、通信端末の最低送信電力が、リアルタイム測定方式により無線インタフェース経路の送信損失値を取得することによって取得される。例えば、リアルタイム測定方式により取得された無線インタフェース経路の送信損失値（例えば、−７６ｄＢｍであってもよい）と、携帯電話の現在の送信電力（すなわち、２０ｄＢｍ）とに従って、ワイヤレス・ネットワーク・アクセス・ポイントの現在の受信信号強度（すなわち、−５６ｄＢｍ）が決定され得る。それから、ワイヤレス・ネットワーク・アクセス・ポイントの現在の受信信号強度（すなわち、−５６ｄＢｍ）からワイヤレス・ネットワーク・アクセス・ポイントの受信信号強度の閾値（すなわち、−６６ｄＢｍ）を引くことによって、差（すなわち、１０ｄＢｍ）が取得される。それから、携帯電話の現在の送信電力（すなわち、２０ｄＢｍ）から差（すなわち、１０ｄＢｍ）を引くことによって、通信端末の最低送信電力（すなわち、１０ｄＢｍ）が取得され得る。
【００４１】
（２）あるいは、予め設定された無線インタフェース経路の送信損失値を取得する。
【００４２】
さらに、取得された予め設定された無線インタフェース経路の送信損失値に従って、通信端末の最低送信電力が取得される。例えば、携帯電話の取得された予め設定された無線インタフェース経路の送信損失値（例えば、−７６ｄＢｍであってもよい）と、携帯電話の現在の送信電力（すなわち、２０ｄＢｍ）とに従って、ワイヤレス・ネットワーク・アクセス・ポイントの現在の受信信号強度（すなわち、−５６ｄＢｍ）が決定され得る。それから、ワイヤレス・ネットワーク・アクセス・ポイントの現在の受信信号強度（すなわち、−５６ｄＢｍ）からワイヤレス・ネットワーク・アクセス・ポイントの受信信号強度の閾値（例えば、−６６ｄＢｍ）を引くことによって、差（すなわち、１０ｄＢｍ）が取得される。それから、携帯電話の現在の送信電力（すなわち、−２０ｄＢｍ）から差（すなわち、１０ｄＢｍ）を引くことによって、通信端末の最低送信電力（すなわち、１０ｄＢｍ）が取得され得る。
【００４３】
（３）あるいは、ワイヤレス・ネットワーク・アクセス・ポイントと通信端末との間の通信環境情報を取得し、異なる（様々な）通信環境情報に対応する予め設定された無線インタフェース経路の送信損失情報と通信環境情報とに従って、対応する無線インタフェース経路送信損失値を決定する。対応する通信環境情報は、ワイヤレス・ネットワーク・アクセス・ポイントと通信端末との間の距離の情報と、例えば、ワイヤレス・ネットワーク・アクセス・ポイントと通信端末との間に障害物が存在するか否かなど、無線インタフェース経路の送信損失に影響を与える関連情報とを含んでもよい。
【００４４】
さらに、決定した無線インタフェース経路の送信損失値に従って、通信端末の最低送信電力が取得される。例えば、ワイヤレス・ネットワーク・アクセス・ポイントと通信端末との間の距離（例えば、２０ｍであってもよい）に関して取得された情報と、異なる（様々な）通信環境情報（すなわち、距離が２０ｍである）に対応している予め設定された無線インタフェース経路の送信損失情報とに従って決定された対応する無線インタフェース経路の送信損失値（例えば、その値は−７６ｄＢｍであってもよい）と、携帯電話の現在の送信電力（すなわち、２０ｄＢｍ）とに従って、ワイヤレス・ネットワーク・アクセス・ポイントの現在の受信信号強度（すなわち、−５６ｄＢｍ）が決定され得る。それから、ワイヤレス・ネットワーク・アクセス・ポイントの現在の受信信号強度（すなわち、−５６ｄＢｍ）からワイヤレス・ネットワーク・アクセス・ポイントの受信信号強度の閾値（すなわち、−６６ｄＢｍ）を引くことによって、差（すなわち、１０ｄＢｍ）が取得される。それから、携帯電話の現在の送信電力（すなわち、２０ｄＢｍ）から差（すなわち、１０ｄＢｍ）を引くことによって、通信端末の最低送信電力（すなわち、１０ｄＢｍ）が取得され得る。
【００４５】
ステップ１２：通信端末の送信電力を減少させ、そして、通信端末が通信サービスを正常に行うことが出来ることを確実にするように、最低送信電力に従って、通信端末の送信電力を調節及び決定する。
【００４６】
例えば、最低送信電力に従って通信端末の送信電力を調節及び決定するプロセスは、
ステップ１１で取得された最低送信電力が通信端末の現在の送信電力よりも低いか否かを判定し、低い場合には、通信端末の送信電力が最低送信電力と等しくなるか、又は現在のデータ送信サービスの品質が予め設定された要件を満たすまで、予め設定されたステップ長に従って通信端末の送信電力を減少させ、低くない場合には、通信端末の送信電力を調節しないこと
を対応して含み得る。
【００４７】
具体的には、ステップ１１で取得された最低送信電力が通信端末の現在の送信電力よりも低いときは、以下の２つの解決策のうちのいずれかが処理に使用され得る。
【００４８】
（１）予め設定されたステップ長に従って通信端末の送信電力を減少させ、データ送信サービスの品質を検知する。データ送信サービスの検知された品質が、データ送信サービスの正常な実行を確実にするためのものである予め設定された安全値よりも低い場合には、通信端末の送信電力を減少させることを停止し、データ送信サービスの品質が悪化する前のものである臨界値に送信電力を調節する。データ送信サービスの検知された品質が、データ送信サービスの正常な実行を確実にするためのものである予め設定された安全値よりも低くない場合には、通信端末の送信電力が、ステップ１１で取得された最低送信電力と等しいか否かを決定する。等しい場合には、通信端末の送信電力を減少させることを停止し、通信端末の送信電力の調節を完了し、等しくない場合には、データ送信サービスの品質が、データ送信サービスの正常な実行を確実にするためのものである予め設定された安全値よりも低くなるか、又は、通信端末の送信電力が、ステップ１１で取得された最低送信電力と等しくなるまで、予め設定されたステップ長に従って通信端末の送信電力を減少させ続ける。データ送信サービスの品質を決定するための対応する基準は、サービス品質インジケータであるＰＥＲ（Ｐａｃｋｅｔ  Ｅｒｒｏｒ  Ｒａｔｅ、すなわち、パケット誤り率）であってもよい。実施形態１に対応して、ステップ１１で取得された最低送信電力（すなわち、−３ｄＢｍ）に従って、最低送信電力が携帯電話の現在の送信電力（すなわち、１７ｄＢｍ）よりも低いことが決定され得る。それから、携帯電話の送信電力が、予め設定されたステップ長（例えば、０．５ｄＢであってもよい）に従って減少され、データ送信サービスの品質が検知される。携帯電話の送信電力が−２．５ｄＢｍに減少され、そして、データ送信サービスの検知された品質が、データ送信サービスの正常な実行を確実にするためのものである予め設定された安全値よりも低くなるまで、携帯電話の送信電力を減少させることが停止され、送信電力が、データ送信サービスの品質が悪化する前のものである臨界値（すなわち、−２ｄＢｍ）に調節され、携帯電話の送信電力の調節を完了する。実施形態２に対応して、ステップ１１で取得された最低送信電力（すなわち、１０ｄＢｍ）に従って、最低送信電力が携帯電話の現在の送信電力（すなわち、２０ｄＢｍ）よりも低いことが決定され得る。それから、携帯電話の送信電力が、予め設定されたステップ長（例えば、０．５ｄＢであってもよい）に従って減少させられ、データ送信サービスの品質が検知される。携帯電話の送信電力が、ステップ１１で取得された最低送信電力（すなわち、１０ｄＢｍ）に等しくなるように減少させられるまで、データ送信サービスの検知された品質が、データ送信サービスの正常な実行を確実にするためのものである予め設定された安全値よりも低くなることが分からない。この場合、この時の送信電力が、データ送信サービスの品質が悪化する前のものである臨界値として使用され、携帯電話の送信電力を減少させることが停止され、携帯電話の送信電力の調節を完了する。
【００４９】
（２）あるいは、現在のデータ送信サービスの品質を取得及び保存し、予め設定されたステップ長に従って通信端末の送信電力を減少させ、それから、データ送信サービスの品質を再び検知する。先に保存されたデータ送信サービスの品質と再び検知されたデータ送信サービスの品質を比較し、データ送信サービスの品質がある程度まで悪化した場合には、通信端末の送信電力を減少させることを停止し、データ送信サービスの品質が悪化する前のものである臨界値に送信電力を調節し、データ送信サービスの品質が悪化していない場合には、通信端末の送信電力がステップ１１において取得された最低送信電力に等しいか否かを決定する。等しい場合には、通信端末の送信電力を減少させることを停止し、通信端末の送信電力の調節を完了し、等しくない場合には、データ送信サービスの品質が、データ送信サービスの品質が悪化する前のものである臨界値に到達するまで、又は、通信端末の送信電力が、ステップ１１で取得された最低送信電力に等しくなるまで、予め設定されたステップ長に従って通信端末の送信電力を減少させ続ける。データ送信サービスの品質を決定するための対応する基準は、サービス品質インジケータであるＰＥＲ（Ｐａｃｋｅｔ  Ｅｒｒｏｒ  Ｒａｔｅ、すなわち、パケット誤り率）であってもよい。実施形態１に対応して、ステップ１１で取得された最低送信電力（すなわち、−３ｄＢｍ）に従って、最低送信電力が携帯電話の現在の送信電力（すなわち、１７ｄＢｍ）よりも低いことが決定され得る。それから、現在のデータ送信サービスの品質が、まず取得及び保存され、携帯電話の送信電力が、予め設定されたステップ長（例えば、０．５ｄＢであってもよい）に従って減少され、データ送信サービスの品質が再び検知される。携帯電話の送信電力が−２．５ｄＢｍに減少され、再び検知されたデータ送信サービスの品質が、先に保存されたデータ送信サービスの品質よりも低いことが分かるまで、すなわち、データ送信サービスの品質が、ある程度まで悪化するまで、携帯電話の送信電力を減少させることが停止され、送信電力がデータ送信サービスの品質が悪化する前のものである臨界値（すなわち、−２ｄＢｍ）に調節され、携帯電話の送信電力の調節が完了する。実施形態２に対応して、ステップ１１で取得された最低送信電力（すなわち、１０ｄＢｍ）に従って、最低送信電力が携帯電話の現在の送信電力（すなわち、２０ｄＢｍ）よりも低いことが決定され得る。それから、現在のデータ送信サービスの品質が、まず取得及び保存され、携帯電話の送信電力が、予め設定されたステップ長（例えば、０．５ｄＢであってもよい）に従って減少させられ、データ送信サービスの品質が再び検知される。携帯電話の送信電力が、ステップ１１で取得された最低送信電力（すなわち、１０ｄＢｍ）に等しくなるように減少するまで、再び検知されたデータ送信サービスの品質が、先に保存されたデータ送信サービスの品質よりも低いことが分からない。この場合、この時の送信電力が、データ送信サービスの品質が悪化する前のものである臨界値として使用され、携帯電話の送信電力を減少させることが停止され、携帯電話の送信電力の調節を完了する。
【００５０】
本発明の目的と技術的解決策と利点とをさらに明確にするために、以下で、実施形態と、対応する添付の図面とを参照して詳細に、本発明の実施形態をさらに記載する。
【００５１】
図２及び図３に示されるように、以下で、本発明の一実施形態における方法を用いて構成されると共にＷｉＦｉ機能を有するある携帯電話を使用して、この実施形態において提供される技術的解決策を説明する。携帯電話の初期送信電力が１７ｄＢｍである場合には、本解決策の特定の実装プロセスは、以下のステップを含み得る。
【００５２】
ステップ３１：通信端末の実際の受信信号強度と、ワイヤレス・ネットワーク・サービスの種類と、変調方式とを取得するために、ワイヤレス・ネットワーク・アクセス・ポイントとの接続を確立する。
【００５３】
具体的には、携帯電話は、１７ｄＢｍの定格電力を使用することによって、ワイヤレス・ネットワーク・アクセス・ポイントとの接続を確立する。携帯電話によって取得された通信端末の実際の受信信号強度は、−６２ｄＢｍである。携帯電話によって取得されたワイヤレス・ネットワーク・サービスの種類及び変調方式は、６Ｍｂｐｓのデータ速度及び２．４ＧＨｚ周波数帯のＯＦＤＭ方式を含む。
【００５４】
ステップ３２：ワイヤレス・ネットワーク・サービスの種類と変調方式とに従って、通信端末の受信信号強度の閾値を決定する。
【００５５】
具体的には、ステップ３１において取得されたワイヤレス・ネットワーク・サービスの種類と変調方式とに従って、すなわち、データ速度は６Ｍｂｐｓであり、変調方式が２．４ＧＨｚ周波数帯のＯＦＤＭであり、そして、携帯電話に予め設定された（図２に示されるような）ワイヤレス・ネットワーク・デバイスの性能情報に従って、携帯電話の受信信号強度の閾値が、−８２ｄＢｍと決定され得る。
【００５６】
ステップ３３：通信端末の現在の送信電力と、通信端末の実際の受信信号強度と、通信端末の受信信号強度の閾値とに従って、通信端末の最低送信電力を決定する。
【００５７】
具体的には、携帯電話の現在の送信電力（すなわち、１７ｄＢｍ）と、携帯電話の受信信号強度の閾値（すなわち、−８２ｄＢｍ）とに従って、対応する定数（すなわち、１７−８２＝−６５）が取得され得る。それから、携帯電話の実際の受信信号強度（すなわち、−６２ｄＢｍ）に定数（すなわち、−６５）を加えることによって、携帯電話の最低送信電力（すなわち、６２−６５＝−３ｄＢｍ）が取得され得る。
【００５８】
ステップ３４：最低送信電力が通信端末の現在の送信電力よりも低いか否かを決定し、低い場合には、ステップ３５を実行し、低くない場合には、プロセスを終了する。
【００５９】
具体的には、最低送信電力がステップ３３において取得された−３ｄＢｍであることと、現在の送信電力が携帯電話の１７ｄＢｍであることとに従って、最低送信電力（すなわち、−３ｄＢｍ）が、携帯電話の現在の送信電力（すなわち、１７ｄＢｍ）よりも低いことが決定され得る。それから、ステップ３５を実行する。
【００６０】
ステップ３５：現在のデータ送信サービスの品質が、現在進行中のサービスの要件を満たすか否かを決定し、満たす場合には、ステップ３６を実行し、満たさない場合には、携帯電話の送信電力を減少させることを停止し、データ送信サービスの品質が悪化する前に臨界値に送信電力を調節する。
【００６１】
具体的には、第１の実行の間に、現在のデータ送信サービスの品質は、現在進行中の要件を満たし、ステップ３６を実行する。第２の実行の間に、現在のデータ送信サービスの品質は、現在進行中のサービスの要件を満たし、ステップ３６を実行する。第３の実行の間に、現在のデータ送信サービスの品質は、現在進行中のサービスの要件を満たし、ステップ３６を実行する。残りは、類推によって推測される。携帯電話の送信電力は、−２．５ｄＢｍに減少させられるまで、現在のデータ送信サービスの品質は、現在進行中のサービスの要件を満たさず、携帯電話の送信電力を減少させることが停止され、そして、送信電力は、データ送信サービスの品質が悪化する前のものである臨界値（すなわち、−２ｄＢｍ）に調節され、携帯電話の送信電力の調節を完了する。
【００６２】
ステップ３６：予め設定されたステップ長に従って、通信端末の送信電力を減少させる。
【００６３】
具体的には、第１の実行の間に、携帯電話の送信電力は、予め設定されたステップ長（すなわち、０．５ｄＢ）に従って減少させられ、携帯電話の現在の送信電力は１６．５ｄＢｍである。第２の実行の間に、携帯電話の送信電力は、予め設定されたステップ長（すなわち、０．５ｄＢ）に従って減少させられ、携帯電話の現在の送信電力は１６ｄＢｍである。第３の実行の間に、携帯電話の送信電力は、予め設定されたステップ長（すなわち、０．５ｄＢ）に従って減少させられ、携帯電話の現在の送信電力は１５．５ｄＢｍである。残りは、類推によって推測され得る。
【００６４】
ステップ３７：通信端末の送信電力が最低送信電力と等しいか否かを決定し、等しい場合には、携帯電話の送信電力を減少させることを停止し、プロセスを終了し、送信電力の調節を完了し、等しくない場合には、ステップ３５を実行する。
【００６５】
具体的には、第１の実行の間に、通信端末の送信電力が１６．５ｄＢｍであり、最低送信電力が−３ｄＢｍであり、通信端末の送信電力が最低送信電力に等しくないことが決定され、ステップ３５が実行される。第２の実行の間に、通信端末の送信電力が１６ｄＢｍであり、最低送信電力が−３ｄＢｍであり、通信端末の送信電力が最低送信電力に等しくないことが決定され、ステップ３５が実行される。第３の実行の間に、通信端末の送信電力が１５．５ｄＢｍであり、最低送信電力が−３ｄＢｍであり、通信端末の送信電力が最低送信電力に等しくないことが決定され、ステップ３５が実行される。残りは、類推によって推測され得る。
【００６６】
本発明の実施形態を実装により、通信端末は、通常のサービス用途に影響を与えることなく、そして、ワイヤレス・ネットワーク・アクセス・ポイントを改変することを必要とすることなく、通信端末の送信電力を自動的に調節することが出来、ネットワークの切断が、調節プロセスの間には生じなくてもよい。本発明の実施形態に従って、電力消費が節約されることが出来、携帯電話の待機時間が延長されることが出来るだけでなく、人体に対する放射線照射も減少させることが出来ることが理解される。
【００６７】
方法の実施形態におけるステップの全部又は一部が、関連のハードウェアに指示を与えるプログラムによって完了され得ることが、当業者には理解され得る。プログラムは、コンピュータによって読み取り可能な格納媒体に格納され得る。実行の間、プログラムは、上記の方法のステップを実行する。格納媒体は、プログラムコードを格納可能なＲＯＭ、ＲＡＭ、磁気ディスク、及びコンパクトディスクなどのあらゆる種類の媒体を含む。
【００６８】
本発明の実施形態はさらに、ワイヤレスネットワーク接続のための装置を提供する。図４は、その装置の具体的な実装構造を示す。装置は、具体的には、
ワイヤレス・ネットワーク・アクセス・ポイントとの接続を確立する通信端末の最低送信電力を取得するように構成された最低送信電力取得ユニット４０１を含み得る。最低送信電力は、通信端末とワイヤレス・ネットワーク・アクセス・ポイントとの間の接続及び通信を確実にすることが可能な最小送信電力である。
【００６９】
具体的には、図５に示されるように、本発明のこの実施形態において提供される最低送信電力取得ユニット４０１は、下記を含み得る。
【００７０】
（１）ワイヤレス・ネットワーク・アクセス・ポイントとの接続が確立された後に、実際の受信信号強度と、ワイヤレス・ネットワーク・サービスの種類と、通信端末の変調方式とを取得し、ワイヤレス・ネットワーク・サービスの種類と変調方式とに従って通信端末の受信信号強度の閾値を決定し、通信端末の現在の送信電力と、通信端末の実際の受信信号強度と、通信端末の受信信号強度の閾値とに従って、通信端末の最低送信電力を決定するように構成された第１の最低送信電力取得ユニット４０１１。
例えば、対応する第１の最低送信電力取得ユニット４０１１は、通信端末の現在の送信電力と通信端末の受信信号強度の決定された閾値とに従って定数を取得し、通信端末の取得された実際の受信信号強度に定数を加えることによって通信端末の最低送信電力を取得するように構成され得る。
【００７１】
（２）あるいは、ワイヤレス・ネットワーク・アクセス・ポイントとの接続が確立された後に、ワイヤレス・ネットワーク・サービスの種類と変調方式とを取得し、ワイヤレス・ネットワーク・サービスの種類と変調方式とに従ってワイヤレス・ネットワーク・アクセス・ポイントの受信信号強度の閾値を決定し、通信端末の現在の送信電力と、無線インタフェース経路の送信損失値と、ワイヤレス・ネットワーク・アクセス・ポイントの受信信号強度の閾値とに従って、通信端末の最低送信電力を決定するように構成された第２の最低送信電力取得ユニット４０１２。
例えば、対応する第２の最低送信電力取得ユニット４０１２は、通信端末の現在の送信電力と無線インタフェース経路の送信損失値とに従ってワイヤレス・ネットワーク・アクセス・ポイントの現在の受信信号強度を取得し、対応するワイヤレス・ネットワーク・アクセス・ポイントの現在の受信信号強度とワイヤレス・ネットワーク・アクセス・ポイントの受信信号強度の決定された閾値との間の差を取得し、通信端末の現在の送信電力から差を引くことによって、通信端末の最低送信電力を取得するように構成され得る。
【００７２】
さらに、図６にも示されるように、本発明のこの実施形態において提供される第２の最低送信電力取得ユニット４０１２は、具体的に、下記のものを含み得る。
（１）リアルタイム測定方式により無線インタフェース経路の送信損失値を取得するように構成された第１の損失値取得ユニット４０１２１。
（２）あるいは、予め設定された無線インタフェース経路の送信損失値を取得するように構成された第２の損失値取得ユニット４０１２２。
（３）あるいは、ワイヤレス・ネットワーク・アクセス・ポイントと通信端末との間の通信環境情報を取得し、通信環境情報と、異なる通信環境情報に対応する予め設定された無線インタフェース経路の送信損失情報とに従って、対応する無線インタフェース経路の送信損失値を決定するように構成された第３の損失値取得ユニット４０１２３、及び、
最低送信電力取得ユニット４０１によって取得された最低送信電力に従って通信端末の送信電力を調節及び決定するように構成された送信電力調節ユニット４０２。
【００７３】
具体的には、図５にも示されるように、本発明のこの実施形態において提供される送信電力調節ユニット４０２は、以下のものを含み得る。
【００７４】
（１）通信端末の現在の送信電力と最低送信電力取得ユニット４０１によって取得された最低送信電力を比較するように構成された送信電力決定ユニット４０２１。
例えば、対応する送信電力決定ユニット４０２１は、通信端末の現在の送信電力と最低送信電力取得ユニット４０１によって取得された最低送信電力を比較するように構成され得る。最低送信電力が通信端末の現在の送信電力よりも低くない場合には、通信端末の送信電力を調節することを必要とすることなく、プロセスを終了し、低い場合には、送信電力減少ユニット４０２２が通信端末の現在の送信電力を調節する。
【００７５】
（２）送信電力決定ユニット４０２１の判定結果が、最低送信電力が通信端末の現在の送信電力よりも低いことを示すときには、通信端末の送信電力が、最低送信電力取得ユニット４０１によって取得された最低送信電力に等しくなるまで、又は、現在のデータ送信サービスの品質が、予め設定された要件を満たすまで、予め設定されたステップ長に従って、通信端末の送信電力を減少させるように構成された送信電力減少ユニット４０２２。
【００７６】
本発明の一実施形態はさらに、通信端末を提供し、図４〜図６のうちの任意のものに示されたワイヤレスネットワーク接続のための装置は、その通信端末上に配置される。
【００７７】
装置の実施形態を実装して、通信端末は、ワイヤレス・ネットワーク・アクセス・ポイントに対する改変を全く行うことなく、通信のための送信電力を自動的に調節することが出来るので、電力消費が節約され、携帯電話の待機時間が延長するだけでなく、人体への放射線照射が減少され、ユーザによる便利な使用が達成される。
【００７８】
実施形態における上記の方法におけるステップの全部又は一部が、関連のハードウェアに指示を与えるプログラムによって実装されてもよいことが、当業者には理解されよう。プログラムは、コンピュータによって読み取り可能な格納媒体に格納されてもよい。プログラムが実行される時に、実施形態において提供された方法におけるプロセスが含まれてもよい。格納媒体は、磁気ディスク、コンパクトディスク、読み取り専用メモリ（Ｒｅａｄ−Ｏｎｌｙ  Ｍｅｍｏｒｙ、ＲＯＭ）、又はランダム・アクセス・メモリ（Ｒａｎｄｏｍ  Ａｃｃｅｓｓ  Ｍｅｍｏｒｙ、ＲＡＭ）であり得る。
【００７９】
上記の記載は、単に、本発明の例示的な実施形態に関するものである。しかしながら、本発明の保護範囲は、それらには限定されない。本発明によって開示された技術的範囲内で当業者によって容易に考えられる改変や置換は、本発明の保護の範囲に該当する。従って、本発明の保護範囲は、添付の特許請求の範囲に従うものである。
【００８０】
本願は、「ＭＥＴＨＯＤ，ＡＰＰＡＲＡＴＵＳ，ＡＮＤ  ＴＥＲＭＩＮＡＬ  ＦＯＲ  ＷＩＲＥＬＥＳＳ  ＮＥＴＷＯＲＫ  ＣＯＮＮＥＣＴＩＯＮ」と題される、２０１０年８月２５日に中国特許庁に出願された中国特許出願第２０１０１０２６３０８７．３号に対する優先権を主張するものであり、その出願は、その全体が参照により組み込まれる。
【図１】
0005575334.tif 000002
【図２】
0005575334.tif 000003
【図３Ａ】
0005575334.tif 000004
【図３Ｂ】
0005575334.tif 000005
【図４】
0005575334.tif 000006
【図５】
0005575334.tif 000007
【図６】
0005575334.tif 000008